(57)【特許請求の範囲】
【請求項１】
壁掛型の空気調和機の室内機（１０）から延びる連絡配管（２１）の配管カバー（２０）と、前記室内機との間に配置されるアタッチメントであって、
前記配管カバーを接続するための接続口（３６ｃ，３７ｃ）を形成可能な接続部（３６ａ，３７ａ）を有する本体（３１）と、
前記室内機に前記本体を固定する固定部（４０）と、
を備え、
前記本体は、
前記室内機の外郭を構成するケーシング（１１）の下部左右端に位置する曲面処理部を含み第１面部と第２面部とで構成される角部を覆うことができるように、前記第１面部を覆う第１部分（３２）と前記第２面部を覆う第２部分（３３）とを含む略Ｌ字形を呈しており、
前記第１面部又は前記第２面部のうち前記連絡配管を前記室内機に接続するための開口（１５，１６）が据付時に形成される開口部（１７，１８）と、前記配管カバーの端部との間に生じる隙間を覆い、
前記第１部分及び前記第２部分は、それぞれ、前記接続部を含み、
前記接続口は、据付時に前記配管カバーの外形形状に沿って形成されるものである、
アタッチメント（３０）。
【請求項２】
前記固定部は、前記開口が形成された後の前記開口部に係止する複数の爪部（４１，４２，４３）を有する、
請求項１に記載のアタッチメント。
【請求項３】
前記室内機の左側及び右側に共用することができる、
請求項１又は２に記載のアタッチメント。
【請求項４】
前記室内機の側面側及び底面側に共用することができる、
請求項１から３のいずれか１項に記載のアタッチメント。
【発明の詳細な説明】
【技術分野】
【０００１】
本発明は、壁掛型の空気調和機の室内機から延びる連絡配管の配管カバーと、室内機との間に配置されるアタッチメントに関する。
【背景技術】
【０００２】
従来より、室内機から室外機に延びる連絡配管を保護する目的で、連絡配管を配管カバーで覆うことがある。一方、近年の室内機は、その外郭が曲面形状に形成されているものが多くなっている。この結果、配管カバーと室内機との間に隙間が生じることで、連絡配管が露出するという問題が生じることがある。
【０００３】
そこで、特許文献１（特開２００３−６５４８７号公報）では、保護カバー（配管カバーに相当）と室内機との間に生じる隙間を覆うために、保護カバーの端部と室内機の側面との間に配置される配管用隙間カバーについて開示されている。
【発明の概要】
【発明が解決しようとする課題】
【０００４】
ところで、配管カバーと室内機との間に生じる隙間を覆うための部材（以下、アタッチメントという）は、特許文献１に開示されている配管用隙間カバー（アタッチメントに相当）のように、配管カバーの外形形状に応じた形状に成形されていることが多い。また、配管カバーの外形形状は、メーカーによって異なることが多い。この結果、配管カバーと室内機との間に隙間が生じないようにするためには、外形形状の異なる配管カバー毎に個別のアタッチメントが必要となってしまう。
【０００５】
そこで、本発明の課題は、外形形状の異なる配管カバーに対応可能なアタッチメントを提供することにある。
【課題を解決するための手段】
【０００６】
本発明の第１観点に係るアタッチメントは、壁掛型の空気調和機の室内機から延びる連絡配管の配管カバーと、室内機との間に配置されるアタッチメントであって、本体と、固定部と、を備える。本体は、配管カバーを接続するための接続口を形成可能な接続部を有する。固定部は、室内機に本体を固定する。また、本体は、第１面部を覆う第１部分と、第２面部を覆う第２部分と、を含む略Ｌ字形を呈している。第１面部及び第２面部は、室内機の外郭を構成するケーシングの下部左右端に位置する曲面処理部を含む角部を構成している。さらに、本体は、第１面部又は第２面部のうち連絡配管を室内機に接続するための開口が据付時に形成される開口部と、配管カバーの端部との間に生じる隙間を覆う。第１部分及び第２部分は、それぞれ接続部を含む。また、接続口は、据付時に配管カバーの外形形状に沿って形成される。
【０００７】
本発明の第１観点に係るアタッチメントでは、本体が、配管カバーを接続するための接続口を形成可能な接続部を有している。このため、このアタッチメントでは、配管カバーに応じた接続口を形成することができる。
【０００８】
これによって、外形形状の異なる配管カバーに対応することができる。
【０００９】
また、このアタッチメントでは、接続口が据付時に配管カバーの外形形状に沿って形成されるため、容易な構成によって、外形形状の異なる配管カバーに対応することができる。
【００１０】
本発明の第２観点に係るアタッチメントは、第１観点のアタッチメントにおいて、固定部は、開口が形成された後の開口部に係止する複数の爪部を有する。このため、このアタッチメントでは、開口が形成されたケーシングに、本体を固定することができる。
【００１１】
本発明の第３観点に係るアタッチメントは、第１観点又は第２観点のアタッチメントにおいて、室内機の左側及び右側に共用することができる。このため、このアタッチメントでは、室内機における連絡配管の接続位置として、室内機の左右いずれが選択されても対応することができる。
【００１２】
本発明の第４観点に係るアタッチメントは、第１観点から第３観点のいずれかのアタッチメントにおいて、室内機の側面側及び底面側に共用することができる。このため、このアタッチメントでは、室内機における連絡配管の接続位置として、室内機の側面側或いは底面側のいずれが選択されても対応することができる。
【発明の効果】
【００１３】
本発明の第１観点に係るアタッチメントでは、外形形状の異なる配管カバーに対応することができる。
【００１４】
本発明の第２観点に係るアタッチメントでは、開口が形成されたケーシングに、本体を固定することができる。
【００１５】
本発明の第３観点に係るアタッチメントでは、室内機における連絡配管の接続位置として、室内機の左右いずれが選択されても対応することができる。
【００１６】
本発明の第４観点に係るアタッチメントでは、室内機における連絡配管の接続位置として、室内機の側面側或いは底面側のいずれが選択されても対応することができる。
【図面の簡単な説明】
【００１７】
【図１】本発明の一実施形態に係るアタッチメントの外観斜視図。
【図２】アタッチメントが用いられている室内機の外観斜視図。
【図３】室内機の部分拡大図であって、（ａ）室内機の下部左端を示す図、（ｂ）室内機の下部右端を示す図。
【図４】アタッチメントを図１の矢印Ａ方向から見た図。
【図５】アタッチメントを図４の矢印Ｂ方向から見た図。
【図６】アタッチメントを図４の矢印Ｃ方向から見た図。
【発明を実施するための形態】
【００１８】
本発明の一実施形態に係るアタッチメント３０の構成を、図１及び図２に示す。このアタッチメント３０は、壁掛型の空気調和機の室内機１０から延びる連絡配管２１の周りを覆うように配置される配管カバー２０と、室内機１０との間に配置される部材である。
【００１９】
以下、本発明の一実施形態に係るアタッチメント３０の構成を詳細に説明する前に、このアタッチメント３０が用いられる空気調和機の構成について説明する。
【００２０】
（１）空気調和機の構成
空気調和機は、室内の壁面に取り付けられる壁掛型の室内機１０と、室外に設置される室外機（図示せず）とを備えている。また、室内機１０と室外機とは、冷媒配管及び電気配線を含む連絡配管２１によって接続されている。
【００２１】
また、室内機１０の外郭を構成する室内機ケーシング１１は、左右対称となるように構成されている。また、室内機ケーシング１１は、下部左右端の角部が曲面処理されている。具体的には、室内機ケーシング１１の下部左右端の各角部の部分拡大図である図３に示すように、室内機ケーシング１１の左側面１２下部と底面１４左端部とは滑らかな円弧を描くように構成されており、室内機ケーシング１１の右側面１３下部と底面１４右端部とは滑らかな円弧を描くように構成されている。さらに、室内機ケーシング１１の各角部は、空気調和機の据付時に連絡配管２１を接続するための開口１５，１６が形成される開口部１７，１８を含む。開口部１７，１８には、開口１５，１６形成時の目印となるように、開口１５，１６の縁に相当する部分に溝１５ａ，１６ａが設けられている。また、室内機１０と室外機とを接続する連絡配管２１は、意匠性を向上させ、かつ連絡配管２１の耐久性を向上させるために、配管カバー２０で覆われている。次に、アタッチメント３０の詳細について説明する。
【００２２】
（２）アタッチメントの構成
図４は、アタッチメント３０を図１の矢印Ａ方向から見た図である。図５は、アタッチメント３０を図４の矢印Ｂ方向から見た図である。図６は、アタッチメント３０を図４の矢印Ｃ方向から見た図である。
【００２３】
アタッチメント３０は、本体３１と固定部４０とを備えており、樹脂等で一体成形されている。本体３１は、第１部分３２と、第２部分３３と、第３部分３４と、縁部３５と、を有している。第１部分３２と第２部分３３とは、室内機ケーシング１１の左側面１２下部から底面１４左端部まで、或いは、室内機ケーシング１１の右側面１３下部から底面１４右端部までを連続して覆うことが可能なように配置されている。具体的には、第１部分３２と第２部分３３とによって略Ｌ字形が構成されるように、第１部分３２と第２部分３３とが位置している（図４参照）。第３部分３４は、略３角形状を呈する板状の部材であって、第１部分３２と第２部分３３とによって構成される角部を覆うように配置される。縁部３５は、前側縁３５ａと、前側縁３５ａから後方向に延びる端部縁３５ｂとを含む。前側縁３５ａは、第１部分３２の前側端部３２ａの端部３２ｂ側、第３部分３４の端部３４ａ、及び、第２部分３３の前側端部３３ａの端部３３ｂ側を覆うように位置する部分であって、室内機ケーシング１１の下端部の湾曲面に沿って湾曲した形状を呈する。端部縁３５ｂは、第１部分３２の端部３２ｂ及び第２部分３３の端部３３ｂを覆うように位置する部分であって、前側縁３５ａの両端部と連続している。
【００２４】
第１部分３２は、略４角形状を呈する板状の部材である。また、第１部分３２は、第１接続口形成部（接続部に相当）３６ａと、第１接続口形成部３６ａを囲むように位置する第１接続口非形成部３６ｂと、を有している。第１接続口形成部３６ａは、配管カバー２０を接続するための第１接続口３６ｃの形成される部分である。第１接続口３６ｃは、据付時に、第１接続口形成部３６ａが第１接続口非形成部３６ｂから切除されることで形成される開口である。なお、本実施形態では、第１接続口３６ｃの開口寸法は、配管カバー２０の外形よりも小さい。また、本実施形態では、第１部分３２には、第１接続口３６ｃ形成時の目印となるように、第１接続口３６ｃの縁に相当する部分である第１接続口形成部３６ａと第１接続口非形成部３６ｂとの境界部分に第１溝３６ｄが設けられている。
【００２５】
第２部分３３は、第１部分３２の構造と鏡面対称をなしている。第２部分３３は、略４角形状を呈する板状の部材である。また、第２部分３３は、第２接続口形成部（接続部に相当）３７ａと、第２接続口形成部３７ａを囲むように位置する第２接続口非形成部３７ｂと、を有している。第２接続口形成部３７ａは、配管カバー２０を接続するための第２接続口３７ｃの形成される部分である。第２接続口３７ｃは、据付時に、第２接続口形成部３７ａが第２接続口非形成部３７ｂから切除されることで形成される開口である。なお、本実施形態では、第２接続口３７ｃの開口寸法は、配管カバー２０の外形よりも小さい。また、本実施形態では、第２部分３３には、第２接続口３７ｃ形成時の目印となるように、第２接続口３７ｃの縁に相当する部分である第２接続口形成部３７ａと第２接続口非形成部３７ｂとの境界部分に第２溝３７ｄが設けられている。
【００２６】
固定部４０は、本体３１を室内機ケーシング１１に固定するために、開口１５，１６が形成された状態の開口部１７，１８に本体３１を係止する複数の爪部４１，４２，４３を有している。爪部４１，４２，４３は、第１爪部４１と、第２爪部４２と、第３爪部４３と、を含む。第１爪部４１、第２爪部４２、第３爪部４３は、それぞれ２つの爪から構成されており、第１部分３２及び第２部分３３の内側面に１つずつ配置されている。また、第１爪部４１と第２爪部４２とは、開口部１７，１８のうち室内機ケーシング１１後部に位置する部分に係合可能なように、第１部分３２及び第２部分３３の後側端部に配置されている。第３爪部４３は、開口部１７，１８のうち室内機ケーシング１１前部に位置する部分に係合可能なように、第１部分３２及び第２部分３３の前側端部近傍に配置されている。なお、第１爪部４１は、室内機１０の下部左端に開口１５が形成された場合の開口寸法に対応可能な位置に配置されている。また、第２爪部４２は、室内機１０の下部右端に開口１６が形成された場合の開口寸法に対応可能な位置に配置されている。
【００２７】
（３）空気調和機の据付作業
次に、アタッチメント３０を用いた空気調和機の据付方法について説明する。
【００２８】
空気調和機の据付業者は、室内の壁面の所定位置に、取付パネル（図示せず）を介して室内機１０を固定する。また、室外の所定位置に室外機を設置する。さらに、室内機１０に対する連絡配管２１の接続位置を、室内機ケーシング１１の左側面１２下部、底面１４左端部、右側面１３下部及び底面１４右端部から選択し、選択した接続位置を含む部分を開口部１７或いは開口部１８から切除して、室内機ケーシング１１に開口１５或いは開口１６を形成する。例えば、室内機１０に対する連絡配管２１の接続位置を、室内機ケーシング１１の左側面１２下部或いは底面１４左端部のいずれかに決定した場合、溝１５ａに沿って開口部１７を切除することで、開口１５を形成する。また、例えば、室内機１０に対する連絡配管２１の接続位置を、室内機ケーシング１１の右側面１３下部又は底面１４右端部のいずれかに決定した場合、溝１６ａに沿って開口部１８を切除することで、開口１６を形成する。そして、形成した開口１５或いは開口１６を介して、冷媒配管の一方の端部と、これに対応する室内機１０内の配管と接続する。また、冷媒配管の他方の端部と、室外機と接続する。これにより、冷媒配管によって室内機１０と室外機とが接続された状態となる。また、室内機１０内から開口１５或いは開口１６を介して室外機へと延びるように電気配線を配置して、室内機１０と室外機とを電気配線で接続する。
【００２９】
次に、アタッチメント３０の本体３１において、選択した連絡配管２１の接続位置に対応する第１接続口形成部３６ａ或いは第２接続口形成部３７ａを、第１接続口非形成部３６ｂ或いは第２接続口非形成部３７ｂから切除して、アタッチメント３０に第１接続口３６ｃ或いは第２接続口３７ｃを形成する。例えば、室内機ケーシング１１の左側面１２下部を連絡配管２１の接続位置として選択した場合には、アタッチメント３０の第１接続口形成部３６ａを第１接続口非形成部３６ｂから切除して、第１接続口３６ｃを形成する。また、例えば、室内機ケーシング１１の底面１４左端部を連絡配管２１の接続位置として選択した場合には、アタッチメント３０の第２接続口形成部３７ａを第２接続口非形成部３７ｂから切除して、第２接続口３７ｃを形成する。また、例えば、室内機ケーシング１１の右側面１３下部を連絡配管２１の接続位置として選択した場合には、アタッチメント３０の第２接続口形成部３７ａを第２接続口非形成部３７ｂから切除して、第２接続口３７ｃを形成する。また、例えば、室内機ケーシング１１の底面１４右端部を連絡配管２１の接続位置として選択した場合には、アタッチメント３０の第１接続口形成部３６ａを第１接続口非形成部３６ｂから切除して、第１接続口３６ｃを形成する。
【００３０】
さらに、アタッチメント３０の第１爪部４１或いは第２爪部４２と第３爪部４３とが室内機ケーシング１１の開口部１７或いは開口部１８に係止するように、第１爪部４１或いは第２爪部４２のいずれかを切除する。例えば、開口１５を室内機ケーシング１１に形成した場合には、第２爪部４２を切除する。また、例えば、開口１６を室内機ケーシング１１に形成した場合には、第１爪部４１を切除する。
【００３１】
そして、第１接続口３６ｃ或いは第２接続口３７ｃを形成したアタッチメント３０を、室内機ケーシング１１の開口部１７或いは開口部１８に取り付ける。なお、開口１５を室内機ケーシング１１に形成した場合には、アタッチメント３０の第１部分３２が開口部１７のうち室内機ケーシング１１の左側面１２に位置する部分を覆い、アタッチメント３０の第２部分３３が開口部１７のうち室内機ケーシング１１の底面１４に位置する部分を覆うように取り付ける。また、開口１６を室内機ケーシング１１に形成した場合には、アタッチメント３０の第１部分３２が開口部１８のうち室内機ケーシング１１の底面１４に位置する部分を覆い、アタッチメント３０の第２部分３３が開口部１８のうち室内機ケーシング１１の右側面１３に位置する部分を覆うように取り付ける。このように、このアタッチメント３０は、９０度回転させることで、室内機１０の下部左右端のいずれにも対応することができるように構成されている。
【００３２】
一方、冷媒配管及び電気配線を含む連絡配管２１を囲むように配管カバー２０を取り付ける。そして、配管カバー２０の室内機１０側の端部を、第１接続口３６ｃの形成されている第１部分３２の第１接続口非形成部３６ｂ、或いは、第２接続口３７ｃの形成されている第２部分３３の第２接続口非形成部３７ｂに当接する。これにより、アタッチメント３０によって配管カバー２０の端部と室内機ケーシング１１の開口部１７或いは開口部１８との隙間を覆うことができる。このようにして、空気調和機の据付作業が行われる。
【００３３】
（４）特徴
（４−１）
本実施形態では、本体３１の第１部分３２が、配管カバー２０を接続するための第１接続口３６ｃの形成される部分である第１接続口形成部３６ａを有している。また、本体３１の第２部分３３が、配管カバー２０を接続するための第２接続口３７ｃの形成される部分である第２接続口形成部３７ａを有している。このため、配管カバー２０の外形形状に関係なく、配管カバー２０に応じた接続口を形成することができる。したがって、外形形状の異なる配管カバー２０に対応することができる。
【００３４】
（４−２）
本実施形態では、アタッチメント３０が、開口１５，１６の形成された状態の開口部１７，１８に、本体３１を係止する複数の爪部４１，４２，４３を有している。このため、このアタッチメント３０では、容易な構成によって、開口１５，１６が形成された室内機ケーシング１１に本体３１を固定することができている。
【００３５】
（４−３）
本実施形態では、本体３１の第１部分３２と第２部分３３とは、室内機ケーシング１１の左側面１２下部から底面１４左端部、或いは、室内機ケーシング１１の右側面１３下部から底面１４右端部を連続して覆うことが可能である。このため、このアタッチメント３０は、室内機１０の左側及び右側に共用することができる。したがって、このアタッチメント３０では、室内機１０における連絡配管２１の接続位置として、室内機１０の左右いずれが選択されても対応することができている。
【００３６】
また、本実施形態では、室内機１０における連絡配管２１の接続位置を、室内機ケーシング１１の左側面１２下部、或いは、室内機ケーシング１１の底面１４右端部に決定した場合に採用される第１接続口３６ｃの形成される部分である第１接続口形成部３６ａを、第１部分３２が有している。また、室内機１０における連絡配管２１の接続位置を、室内機ケーシング１１の底面１４左端部、或いは、室内機ケーシング１１の右側面１３下部に決定した場合に採用される第２接続口３７ｃの形成される部分である第２接続口形成部３７ａを、第２部分３３が有している。このため、このアタッチメント３０は、室内機１０の側面側及び底面側に共用することができる。したがって、このアタッチメント３０では、室内機１０における連絡配管２１の接続位置として、室内機１０の側面側或いは底面側のいずれが選択されても対応することができている。
【００３７】
（５）変形例
（５−１）変形例Ａ
上記実施形態では、本体３１を室内機ケーシング１１に固定するための固定部４０として、第１爪部４１、第２爪部４２及び第３爪部４３を合わせて６つの爪があり、室内機ケーシング１１に形成される開口１５，１６の位置によって第１爪部４１或いは第２爪部４２のいずれから切除され、合計４つの爪によって本体３１が室内機ケーシング１１の開口部１７或いは開口部１８に固定されている。
【００３８】
これに代えて、例えば、室内機ケーシング１１に形成される開口１５，１６の側面１２，１３側の寸法及び底面１４側の寸法が等しい場合には、この開口寸法に対応する第１爪部４１或いは第２爪部４２のいずれか１つと第３爪部４３とが設けられていればよい。すなわち、合計４つの爪が設けられていればよい。これにより、据付時に第１爪部４１或いは第２爪部４２のいずれか一方を切除する手間を省くことができる。
【００３９】
（５−２）変形例Ｂ
上記実施形態では、固定部４０は、複数の爪部４１，４２，４３によって構成されているが、これに限定されず、本体３１を室内機ケーシング１１に固定できるものであればよい。
【００４０】
（５−３）変形例Ｃ
上記実施形態では、配管カバー２０の端部と室内機ケーシング１１の開口部１７或いは開口部１８との隙間をなくすために、第１接続口３６ｃ或いは第２接続口３７ｃの形成されたアタッチメント３０を室内機ケーシング１１に固定し、第１部分３２或いは第２部分３３に配管カバー２０の端部を当接している。
【００４１】
これに代えて、配管カバー２０の外形形状に沿って第１接続口３６ｃ或いは第２接続口３７ｃを形成し、配管カバー２０の端部を第１接続口３６ｃ或いは第２接続口３７ｃに挿入することで、配管カバー２０の端部と室内機ケーシング１１の開口部１７或いは開口部１８との隙間を覆ってもよい。これにより、容易な構成によって、外形形状の異なる配管カバー２０に対応することができる。また、配管カバー２０の外形形状に沿って第１接続口３６ｃ或いは第２接続口３７ｃを容易に形成できるように、アタッチメント３０をエラストマーのような軟質材で構成してもよい。
【産業上の利用可能性】
【００４２】
本発明は、室内機から延びる連絡配管の配管カバーと室内機との間に配置されるアタッチメントであって、外形形状の異なる配管カバーに対応することができるため、壁掛型の空気調和機の室内機への適用が有効である。
【符号の説明】
【００４３】
１０      室内機
１１      室内機ケーシング（ケーシング）
２０      配管カバー
２１      連絡配管
３０      アタッチメント
３１      本体
３６ａ    第１接続口形成部（接続部）
３６ｃ    第１接続口（接続口）
３７ａ    第２接続口形成部（接続部）
３７ｃ    第２接続口（接続口）
４０      固定部
４１      爪部／第１爪部
４２      爪部／第２爪部
４３      爪部／第３爪部
１５，１６    開口
１７，１８    開口部
【先行技術文献】
【特許文献】
【００４４】
【特許文献１】特開２００３−６５４８７号公報
【図１】
0005218504.tif 000002
【図２】
0005218504.tif 000003
【図３】
0005218504.tif 000004
【図４】
0005218504.tif 000005
【図５】
0005218504.tif 000006
【図６】
0005218504.tif 000007